(57)【要約】【課題】  電気配線可能であり、配線しても開閉体の開閉が阻害されない連結具を提供する。【解決手段】  本発明の連結具は軸の途中に軸の外径よりも大きな鍔を備え、鍔の軸方向両側に差込み端部があり、差込み端部は本体又は開閉体の穴に差し込み可能とした連結具である。本発明の連結構造は、連結具の一方の差込み端部が本体穴又は開閉体穴に差し込まれ、他方の差込み端部が開閉体穴又は本体穴に差し込まれ、本体と開閉体の間に鍔が配置されて、開閉体が本体に開閉可能に連結された連結構造である。【選択図】図１
2019178559.tif 000002
【特許請求の範囲】
【請求項１】
本体に開閉体を開閉可能に取り付け可能な連結具であって、
連結具は本体の穴と開閉体の穴に差し込み可能な軸を備え、軸の外周であって軸方向に軸の外径よりも大きな外形の鍔を備え、その鍔の軸方向一方と他方に差込み端部があり、前記軸の内部に軸方向両端に開口する配線孔を備えた、
ことを特徴とする連結具。
【請求項２】
本体に開閉体が連結具により開閉可能に取り付けられた連結構造であって、
連結具が請求項１記載の連結具であり、
前記連結具の一方の差込み端部が本体穴に差し込まれ、その連結具の他方の差込み端部が開閉体穴に差し込まれ、本体と開閉体の間に鍔が配置されて、開閉体が開閉可能に本体に取り付けられた、
ことを特徴とする連結構造。
【請求項３】
本体に二以上の開閉体が連結具により一列に開閉可能に取り付けられた連結構造であって、
連結具が請求項１記載の連結具であり、
本体と開閉体との連結は、連結具の一方の差込み端部が本体穴に差し込まれ、その連結具の他方の差込み端部が開閉体穴に差し込まれ、本体と開閉体の間に鍔が配置されて本体と開閉体が開閉可能に連結され、
二つの開閉体同士の連結は、連結具の一方の差込み端部が一方の開閉体穴に差し込まれ、その連結具の他方の差込み端部が他方の開閉体穴に差し込まれ、両開閉体間に前記連結具の鍔が配置されて、二つの開閉体同士が開閉可能に連結された、
ことを特徴とする連結構造。
【請求項４】
請求項２又は請求項３記載の連結構造であって、
連結具の軸の配線孔内に線材を通してある、
ことを特徴とする連結構造。
【発明の詳細な説明】
【技術分野】
【０００１】
本発明は家具の扉や室内の扉等の開閉体の取り付け（連結）に使用される連結具とそれを使用した連結構造に関するものである。
【背景技術】
【０００２】
蝶番は従来から各種構造のものがある。一例として、特許文献１のものがある。この蝶番は、一本の軸に二組の取付板があり、双方の取付板にコードを通すコード導入穴がある。
【先行技術文献】
【特許文献】
【０００３】
【特許文献１】実開昭６１−５６４６７号のマイクロフィルム
【発明の概要】
【発明が解決しようとする課題】
【０００４】
特許文献１の蝶番は、コード導入穴にコードを通すことはできるが、コード導入穴に通した配線を蓋板でカバーしないと配線が外部から見えてしまい体裁が悪い。見えないようにするためには、カバーすることが必須であり構造が複雑になる。また、軸の両端が閉塞されているため、取付板にコード導入穴をあけないと配線ができない。
【０００５】
本発明の課題は、取付板がなくても線材を配線可能な連結具と、その連結具を使用して、線材が外部から見えないように配線した連結構造を提供することにある。
【課題を解決するための手段】
【０００６】
本発明の連結具は、本体に扉その他の開閉体を開閉可能に取り付け可能な連結具であって、軸の途中に軸の外径よりも大きな鍔があり、鍔の軸方向双方に差込み端部があり、差込み端部が本体の穴又は開閉体の穴に差し込み可能であり、前記軸の内部に軸方向両端に開口する配線孔を備えた連結具である。
【０００７】
本発明の連結構造は、本体に扉等の開閉体が開閉可能に連結された連結構造であり、連結具が前記連結具であり、当該連結具の一方の差込み端部が本体穴に、他方の差込み端部が開閉体穴に差し込まれ、本体と開閉体の間に鍔が介在されて、本体に開閉体が開閉可能に連結されたものである。
【０００８】
本発明の連結構造は、本体に二以上の開閉体が連結具により一列に開閉可能に連結された連結構造であって、連結具が前記連結具であり、本体と開閉体は、前記連結具の一方の差込み端部が本体穴に、他方の差込み端部が開閉体穴に差し込まれ、本体と開閉体の間に鍔が介在されて、本体に開閉体が開閉可能に連結され、二つの開閉体同士の連結は、連結具の一方の差込み端部が一方の開閉体穴に差し込まれ、他方の差込み端部が他方の開閉体穴に差し込まれ、両開閉体間に鍔が配置されて二つの開閉体が開閉可能に連結されたものである。
【発明の効果】
【０００９】
本発明の連結具は次の効果がある。
軸方向に配線可能な配線孔が貫通されているので、連結具内に配線する電源線やリード線等の線材を配線することができる。このため、例えばタンスや室内の扉等に照明具やセンサ等の電気機器を取り付けた場合、外部からタンス内に引き込んだ線材を、配線孔内を通してタンス内の電気機器に配線することができ、体裁が良い。
【００１０】
本発明の連結構造は次の効果がある。
（１）本体と開閉体の間に鍔が介在されているので、上下に配置される本体の上部と開閉体の上部、又は本体の下部と開閉体の下部が直に接触することがない。このため、上下に配置される本体と開閉体のいずれか一方の荷重が他方に直に掛かることがなく、開閉体が円滑に開閉できる。
（２）外部から引き込んだ線材が配線孔内を通して電気機器に配線されているので、体裁が良く、線材が開閉体の開閉動作の邪魔にならず、開閉体が円滑に開閉できる。
【図面の簡単な説明】
【００１１】
【図１】（ａ）は本発明の連結具を使用したタンスの連結構造を示す斜視図、（ｂ）は本発明の連結具の一例を示す説明図。
【図２】本発明の連結具を使用してタンス本体に扉を取り付ける場合の説明図。
【図３】（ａ）は本発明の連結具で扉を取り付けたタンスの取付構造の一例の断面図、（ｂ）〜（ｄ）は他例の断面図。
【図４】本発明の連結具を使用したタンスの配線説明図。
【図５】本発明の連結構造であって、多数枚の扉を連結した場合の説明図。
【発明を実施するための形態】
【００１２】
（連結具の実施形態）
本発明の連結具の一例を図１（ａ）（ｂ）〜図４を参照して説明する。図１（ａ）（ｂ）〜図４は本発明の連結具１を使用して、タンス２の本体３に扉（開閉体）４を取り付けた場合である。扉４は内面に照明式鏡５を備えたものである。この照明式鏡５は鏡本体６に透光部７を備え、鏡本体６の背面にＬＥＤ光源（図示しない）を設け、そのＬＥＤ光源からの光（照明光）が透光部７から鏡本体６の前面に投射されるようにしたものである。図１（ａ）の連結構造では、図１（ｂ）の連結具を使用して、タンス本体３に扉４を取り付けてある。
【００１３】
図1（ｂ）の連結具１は、軸１０を備え、軸１０の軸方向途中（略中間部分）の外周に、軸１０の外径よりも大きなリング状の鍔１１を備え、鍔１１よりも軸方向一方がタンス本体３の穴（本体穴）１２ａ、１２ｂ（図２）に差し込み可能な差込み端部１３、他方が扉４の対向面に開口された穴（開閉体穴）１４ａ、１４ｂ（図２）に差し込み可能な差込み端部１５であり、前記軸１０の内部に軸方向に貫通する配線孔１６（図１（ｂ））を備えている。軸１０の外径や長さ、鍔１１の径や厚さ、配線孔１６の径等は用途に応じて任意に設計可能である。材質は用途に応じて金属、樹脂等の適当なものを任意に選択使用することができる。
【００１４】
（連結構造の実施形態１）
本発明の連結具を使用して、タンス本体３に扉４を開閉可能に取り付けるには、図４のように、タンス本体３の上部３ａと下部３ｂに本体穴１２ａ、１２ｂを開口し、扉４の上部４ａと下部４ｂに開閉体穴１４ａ、１４ｂを開口する。本体穴１２ａ、１２ｂに連結具１の差込み端部１３を、開閉体穴１４ａ、１４ｂに連結具１の差込み端部１５を差し込む。この場合、連結具１の鍔１１を図３（ａ）（ｂ）のようにタンス本体３と扉４の間に配置するとか、図３（ｃ）のように扉４の凹部４ｃに嵌めるとか、図３（ｄ）のようにタンス本体３の凹部３ｃに嵌めるとかする。図３（ａ）のように連結具１の一方の差込み端部１３を本体穴１２ａ、１２ｂに直に、他方の差込み端部１５を開閉体穴１４ａ、１４ｂに直に差し込むことができるが、図３（ｂ）のように、一方の差込み端部１３と他方の差込み端部１５に軸受１７を被せて、本体穴１２ａ、１２ｂ、開閉体穴１４ａ、１４ｂに差し込むこともできる。
【００１５】
図４のようにタンス本体３と扉４を連結した連結具１の軸１０の配線孔１６内には、その軸方向一端から他端に電源コードやリード線等の線材１８を通すことができる。この場合、線材１８はタンス本体３の内部空間及び扉４の内部空間内を通して、扉４の内面に取り付けた照明式鏡５のＬＥＤ光源（図示しない）に配線することができる。このように配線することにより、線材が外に出ないため体裁の良い配線となる。電源コード１８はタンス本体３の背面に開口した孔に通して、タンス本体３に導入することができる。
【００１６】
［照明式鏡］
図４の照明式鏡５は、鏡本体６の幅方向両側に縦長の透光部７を二本備え、鏡本体６の背面にＬＥＤ光源（図示しない）を設け、ＬＥＤ光源からの光（照明光）が両透光部７から鏡本体６の前面に投射されて、鏡本体６の前面を照明できるようにしてある。鏡本体６のうち、透光部７以外の箇所は通常の鏡（鏡面部）である。
【００１７】
（連結構造の実施形態２）
図５は本発明の他の連結構造の実施形態であり、基本的には図３（ａ）〜（ｄ）の連結構造と同じであり、異なるのは三連扉、四連扉といった多数枚の扉（開閉体）４を連結したことである。扉の数は任意数とすることができる。図３（ａ）〜（ｄ）、図５は扉４を縦に連結した場合の例であるが、扉は横並びに連結することもできる。図５のタンス本体３と扉４の連結構造は図３（ａ）の場合と同じであり、二以上の扉４同士の連結は、連結具１の一方の差込み端部１３が一方の開閉体穴に差し込まれ、他方の差込み端部１５が他方の開閉体穴に差し込まれ、両扉４間に鍔１１が配置されて二枚の扉４同士が開閉可能に連結されたものである。
【産業上の利用可能性】
【００１８】
本発明の連結具及び連結構造は、タンス以外の家具や建具の扉、室内の扉等の取り付けにも使用できる。可能であれば、扉以外の開閉体の取り付けにも使用することができる。
【符号の説明】
【００１９】
１    連結具
２    タンス
３    タンス本体
３ａ  （タンス本体の）上部
３ｂ  （タンス本体の）下部
３ｃ  （タンス本体の）凹部
４    扉（開閉体）
４ａ  （扉の）上部
４ｂ  （扉の）下部
４ｃ  （扉の）凹部
５    照明式鏡
６    鏡本体
７    透光部
１０    軸
１１    鍔
１２ａ  （タンス本体の上部）の穴（本体穴）
１２ｂ  （タンス本体の下部）の穴（本体穴）
１３    （一方の）差込み端部
１４ａ  （扉の上部）の穴（開閉体穴）
１４ｂ  （扉の下部）の穴（開閉体穴）
１５    （他方の）差込み端部
１６    配線孔
１７    軸受
１８    線材
【図１】
2019178559.tif 000003
【図２】
2019178559.tif 000004
【図３】
2019178559.tif 000005
【図４】
2019178559.tif 000006
【図５】
2019178559.tif 000007